(57)【特許請求の範囲】
【請求項１】
装飾体を外部から見えるようにする開口部を備え、かつ前記装飾体を収納する装身具用枠体と、
この装身具用枠体内に収納され、前記開口部の位置に配設した装飾体と、
前記装身具用枠体の中空内部において、大径部分の端部が前記装身具用枠体に取り付けられ、他方小径部分の端部が前記装飾体に取り付けられた平板状のコイルバネとを備え、
前記装身具が前記装身具用枠体内に収納された状態において、前記平板状のコイルバネの大径部分の端部と前記装身具用枠体との取り付け位置を基点として前記平板状のコイルバネの小径の端部側が前記装身具用枠体の前面側に傾斜するよう取り付けられるとともに、前記平板状のコイルバネの小径部分の端部と前記装飾体との取り付け位置を基点として前記平板状のコイルバネの大径の端部側が前記装身具用枠体の前面側に傾斜するよう取り付けられることにより、
前記装身具用枠体に作用するかすかな揺れでも前記装飾体が増幅された状態で揺れるようにしたことを特徴とする揺れる装身具。
【請求項２】
装飾体を外部から見えるようにする開口部を備え、かつ前記装飾体を収納する装身具用枠体と、
この装身具用枠体内に収納され、前記開口部の位置に配設した装飾体と、
前記装身具用枠体の中空内部において、上つぼまりとなるよう配設されるとともに、大径部分の端部が前記装身具用枠体に取り付けられ、他方小径部分の端部が前記装飾体に取り付けられたほぼ錐形のコイルバネとを備え、
前記装身具が前記装身具用枠体内に収納された状態において、前記ほぼ錐形のコイルバネの中心線の上方が後傾するよう取り付けられるとともに、他方前記装飾体に沿ったＬ字形の突起に小径部分の端部を取り付けられることにより、
前記装身具用枠体に作用するかすかな揺れでも前記装飾体が増幅された状態で揺れるようにしたことを特徴とする揺れる装身具。
【請求項３】
前記装飾体が、前記装飾体の自重により前記コイルバネを湾曲させるとともに、前記装身具用枠体の開口部位置において正面を向くようにしたことを特徴とする請求項１または２に記載の揺れる装身具。
【請求項４】
前記装飾体が、前記装身具用枠体に所定間隔で配設した少なくとも一対のガイドピンにはめ込む規制リングを備え、前記装飾体全体としてのふれる範囲を限定してなることを特徴とする請求項１ないし３のいずれかに記載の揺れる装身具。
【請求項５】
前記装飾体が、前記装身具用枠体に設けた連結孔と連結される連結リングを備え、前記装飾体全体としてのふれる範囲を限定してなることを特徴とする請求項１ないし３のいずれかに記載の揺れる装身具。
【発明の詳細な説明】
【技術分野】
【０００１】
本発明は、適宜の装飾体を小さい揺れで長期間揺れ続けるようにしたペンダントやブローチ、指輪、ブレスレット等の揺れる装身具に関する。
【背景技術】
【０００２】
近年、着用者の動きに応じて装飾体が揺動するように支持する構造の身飾品が種々提案されている。
（筒状のコイルバネを利用したもの）
特開２０１０−４６２１８号公報（特許文献１参照）の揺動装身具は、宝石を取り付けた装身具において、宝石を固定した石座をコイルばねにより、中央で大きく開口して側面で略カップ状をなし、装身具に形成された台座に連結し、ばね軸による石座と台座の連結は、石座に設けられた挿入口にばね軸の一端を挿入すると共に、台座に設けられた棒体にばね軸の他端を巻装したものである。
このような筒状のコイルバネを利用した例としては、実開昭５４−８７２２０号公報（特許文献２参照）や実開昭５４−８７２２１号公報（特許文献３参照）の発明が挙げられる。
【０００３】
（渦巻状のコイルバネを利用したもの）
実用新案登録第３１１５６９６号公報（特許文献４参照）の揺れるアクセサリーは、ブローチ状のアクセサリーの部品は、スプリング状の部品、揺れる部品を装着する棒状の部品、楕円状の保持具およびブローチ状のアクセサリーに固定するための棒状の部品により構成されるものである。
このような渦巻状のコイルバネを利用した例としては、特開２００３−２３０４１４号公報（特許文献５参照）等の発明が挙げられる。
【０００４】
しかしながら、実際に筒状のコイルバネを利用した揺れる装身具においては、首振り範囲が大きすぎて所定の位置に収まりにくく、また渦巻状のコイルバネを利用した揺れる装身具においては、左右に揺れにくく動きにぎこちなさがあって、いずれにしてもより微細に揺れたり、あるいは長時間揺れが続く製品を得ることが難しいという問題があった。
【０００５】
そこで、本発明者は、先に上述の問題を解決した装身具として特許第６３４７５００号公報（特許文献６参照）を提案した。当該揺れる装身具は、装飾体を外部から見えるようにする開口部を備え、かつ前記装飾体を収納する装身具用枠体と、この装身具用枠体内に収納された装飾体とを備え、前記装身具用枠体と前記装飾体の両者を、前記装身具用枠体に大径部分の端部を取り付けられ、他方前記装飾体に小径部分の端部を取り付けられた、ほぼ錐形（円錐形や三角錐形、四角錐形等の上つぼまりのテーパ状を意味する）のコイルバネによって連結し、前記装身具用枠体に作用するかすかな揺れでも前記装飾体が増幅された状態で揺れるようにしたことを特徴とするものであった。
【先行技術文献】
【特許文献】
【０００６】
【特許文献１】特開２０１０−４６２１８号公報
【特許文献２】実開昭５４−８７２２０号公報
【特許文献３】実開昭５４−８７２２１号公報
【特許文献４】実用新案登録第３１１５６９６号公報
【特許文献５】特開２００３−２３０４１４号公報
【特許文献６】特許第６３４７５００号公報
【発明の概要】
【発明が解決しようとする課題】
【０００７】
上述のとおり本発明者の前記揺れる装身具は、装身具用枠体と装飾体とをほぼ錐形のコイルバネを介して連結することにより、装身具用枠体に作用するかすかな揺れであっても装飾体が増幅された状態で揺れるようにしてある。そして、ほぼ錐形のコイルバネの中心線が装飾体に対して直角の向きとなるように配設してあるため、前記揺れる装身具を着用した際には、前記ほぼ錐形のコイルバネの中心線の基本位置がほぼ水平の向きとなる。このとき、コイルバネのほぼ錐形の小径部分の先端には装飾体を連結してあるので、装飾体の重みによっては、装飾体とコイルバネのほぼ錐形の小径部分とがやや下向きの状態となる。このような状態にあっては、なおも左右に揺れにくく動きにぎこちなさが残り、より微細に揺れたり、あるいは長時間揺れが続く製品を得ることが難しいという問題が残存していた。
【０００８】
そこで本発明は、上記不具合を解消すべく発明されたものであり、着用時にあっても、また装飾体の軽重を問わず、装飾体が下向きとなることを防ぐとともに、装飾体の動きがスムーズで、より微細に揺れたり、あるいは長時間揺れが続く装身具を得ようとするものである。
【課題を解決するための手段】
【０００９】
すなわち本発明の揺れる装身具は、装飾体を外部から見えるようにする開口部を備え、かつ前記装飾体を収納する装身具用枠体と、
この装身具用枠体内に収納され、前記開口部の位置に配設した装飾体と、
前記装身具用枠体の中空内部において、大径部分の端部が前記装身具用枠体に取り付けられ、他方小径部分の端部が前記装飾体に取り付けられた平板状のコイルバネとを備え、
前記装身具が前記装身具用枠体内に収納された状態において、前記平板状のコイルバネの大径部分の端部と前記装身具用枠体との取り付け位置を基点として前記平板状のコイルバネの小径の端部側が前記装身具用枠体の前面側に傾斜するよう取り付けられるとともに、前記平板状のコイルバネの小径部分の端部と前記装飾体との取り付け位置を基点として前記平板状のコイルバネの大径の端部側が前記装身具用枠体の前面側に傾斜するよう取り付けられることにより、
前記装身具用枠体に作用するかすかな揺れでも前記装飾体が増幅された状態で揺れるようにしたことを特徴とするものである。
【００１０】
また、本発明の揺れる装身具は、装飾体を外部から見えるようにする開口部を備え、かつ前記装飾体を収納する装身具用枠体と、
この装身具用枠体内に収納され、前記開口部の位置に配設した装飾体と、
前記装身具用枠体の中空内部において、上つぼまりとなるよう配設されるとともに、大径部分の端部が前記装身具用枠体に取り付けられ、他方小径部分の端部が前記装飾体に取り付けられたほぼ錐形のコイルバネとを備え、
前記装身具が前記装身具用枠体内に収納された状態において、前記ほぼ錐形のコイルバネの中心線の上方が後傾するよう取り付けられるとともに、他方前記装飾体に沿ったＬ字形の突起に小径部分の端部を取り付けられることにより、
前記装身具用枠体に作用するかすかな揺れでも前記装飾体が増幅された状態で揺れるようにしたことをも特徴とするものである。
【００１１】
前記装飾体が、前記装飾体の自重により前記コイルバネを湾曲させるとともに、前記装身具用枠体の開口部位置において正面を向くようにしたことをも特徴とするものである。
【００１２】
前記装飾体が、前記装身具用枠体に所定間隔で配設した少なくとも一対のガイドピンにはめ込む規制リングを備え、前記装飾体全体としてのふれる範囲を限定してなることをも特徴とするものである。
【００１３】
前記装飾体が、前記装身具用枠体に設けた連結孔と連結される連結リングを備え、前記装飾体全体としてのふれる範囲を限定してなることをも特徴とするものである。
【発明の効果】
【００１４】
以上説明したように本発明に係る揺れる装身具は、装身具用枠体と装飾体の両者を、前記装身具用枠体に大径部分の端部を取り付け、他方前記装飾体に小径部分の端部を取り付けた、平板状またはほぼ錐形のコイルバネによって連結する際に、平板状またはほぼ錐形のコイルバネを所定の傾斜を設けて取り付けることによって、装飾体の下向きの垂れ下がりを防止するとともに、装飾体の動きがスムーズで、より微細に揺れたり、あるいは長時間揺れが続く装身具を得ることができるようになった。
すなわち、筒状のコイルバネを利用した揺れる装身具における、首振り範囲が大きすぎて所定の位置に収まりにくいという欠点、また渦巻状のコイルバネを利用した揺れる装身具においては、左右に揺れにくく動きがぎこちないという欠点を解消することができた。
【図面の簡単な説明】
【００１５】
【図１】本発明の装身具の第１実施例を示し、（ａ）は装飾体を装身具用枠体内に収納した状態を示す概略正面図、（ｂ）はその概略背面図である。
【図２】装飾体を装身具用枠体内に収納する前の状態を示す正面側からみた概略斜視図である。
【図３】その概略中央縦断面図である。
【図４】装飾体を装身具用枠体内に収納した状態を示す正面側からみた概略斜視図である。
【図５】その概略側面図である。
【図６】コイルバネが取り付けられた装飾体を装身具用枠体内に収納する前の状態を示す背面側からみた概略斜視図である。
【図７】その概略中央縦断面図である。
【図８】重力およびコイルバネの弾性力が作用していない状態の装飾体とコイルバネと装身具用枠体の位置関係を示す概略中央縦断面図である。
【図９】装飾体の自重によりコイルバネが変形した状態の装飾体の装身具用枠体内での基本位置を示す背面側からみた概略斜視図である。
【図１０】その概略中央縦断面図である。
【図１１】（ａ）はコイルバネの形状を示す概略正面図、（ｂ）はコイルバネの別の形状を示す概略正面図である。
【図１２】本発明の装身具の第２実施例を示し、（ａ）は装飾体を装身具用枠体内に収納した状態を示す概略正面図、（ｂ）はその概略背面図である。
【図１３】コイルバネが取り付けられた装飾体を装身具用枠体内に収納する前の状態を示す背面側からみた概略斜視図である。
【図１４】その概略中央縦断面図である。
【図１５】重力およびコイルバネの弾性力が作用していない状態の装飾体とコイルバネと装身具用枠体の位置関係を示す概略中央縦断面図である。
【図１６】装飾体の自重によりコイルバネが変形した状態の装飾体の装身具用枠体内での基本位置を示す背面側からみた概略斜視図である。
【図１７】その概略中央縦断面図である。
【発明を実施するための形態】
【００１６】
以下本発明に係る揺れる装身具の第１実施例の実施の形態を、装身具としてペンダントを例にして説明する。
図１ないし図１０に示すように、本実施例のペンダントトップからなる揺れる装身具１１は、装身具用枠体１２と、装飾体２１と、常態において平板状のコイルバネ３１を備え、前記平板状のコイルバネ３１の大径部分の端部３１ａは前記装身具用枠体１２に取り付けられ、他方前記平板状のコイルバネ３１の小径部分の端部３１ｂは前記装飾体２１に取り付けられており、前記装身具２１が前記平板状のコイルバネ３１を介して前記装身具用枠体１２内に収納された状態で揺動自在に保持されている。
【００１７】
前記装身具用枠体１２は、前部枠体１３と後部枠体１４を複数の連結部材１５を介して所定の間隔で配置してあり、前記装身具用枠体１２の前部枠体１３のほぼ中央部分には、装飾体２１を外部から見えるようにする開口部１３ａが設けてある。
ちなみに前記連結部材１５としては、適宜間隔の柱状や前部枠体１３および後部枠体１４間の全面を覆い隠す側壁状とすることができる。
【００１８】
また、前記装身具用枠体１２の前部枠体１３の適所には、小さい連結用ポスト１６が立設してあり、前記平板状のコイルバネ３１の大径部分の端部３１ａが取り付けられる。前記平板状のコイルバネ３１の大径部分の端部３１ａの前記連結用ポスト１６への取り付け手段としては、例えば前記連結用ポスト１６にコイルバネの挿通孔（図示せず）を穿設して、常態において平板状のコイルバネ３１の大径部分の端部３１ａを挿通した上、前記挿通孔から突出された部分を折り返して抜け止めする。このとき、該折返し部（図示せず）を溶接したり、接着剤等で前記連結用ポスト１６に強固に固着することが望ましい。また、前記連結用ポスト１６にコイルバネの嵌合溝（図示せず）を形成して前記平板状のコイルバネ３１の大径部分の端部３１ａを該嵌合溝にはめ込んで固定してもよい。またカシメ等の物理的手段を用いてもよい。
【００１９】
なお、前記連結用ポスト１６の前記平板状のコイルバネ３１の大径部分の端部３１ａが取り付けられる取り付け位置１６ａには所定の傾斜１６ｂが形成してある。したがって、前記平板状のコイルバネ３１は、前記連結用ポスト１６の前記平板状のコイルバネ３１の大径部分の端部３１ａが取り付けられる取り付け位置１６ａを基点として、前記平板状のコイルバネ３１の小径部分の端部３１ｂ側が前記装身具用枠体１２の前面側１２ａに傾斜するよう取り付けられるのである。
【００２０】
他方、前記装飾体２１にはその裏面に小さい連結用ポスト２２が立設してあり、前記平板状のコイルバネ３１の小径部分の端部３１ｂが取り付けられる。前記平板状のコイルバネ３１の小径部分の端部３１ｂの前記連結用ポスト２２への取り付け手段としては、例えば前記連結用ポスト２２にコイルバネの嵌合溝（図示せず）を形成して、常態において平板状のコイルバネ３１の小径部分の端部３１ｂを該嵌合溝にはめ込んで固定する。このとき、コイルバネ３１の小径部分の端部３１ｂを該嵌合溝に溶接したり、接着剤等で該嵌合溝に強固に固着することが望ましい。また、前記装飾体２１の該連結用ポスト２２にコイルバネの挿通孔（図示せず）を穿設し、常態において平板状のコイルバネ３１の小径部分の端部３１ｂを挿通した上、該挿通孔から突出された部分を折り返して抜け止めしてもよい。またカシメ等の物理的手段を用いてもよい。
【００２１】
なお、前記連結用ポスト２２の前記平板状のコイルバネ３１の小径部分の端部３１ｂが取り付けられる取り付け位置２２ａには所定の傾斜２２ｂが形成してある。したがって、前記平板状のコイルバネ３１は、前記連結用ポスト２２の前記平板状のコイルバネ３１の小径部分の端部３１ｂが取り付けられる取り付け位置２２ａを基点として、前記平板状のコイルバネ３１の大径部分の端部３１ａ側が前記装身具用枠体１２の前面側１２ａに傾斜するよう取り付けられるのである。
【００２２】
ここで、前記装身具用枠体１２と装飾体２１とを平板状のコイルバネ３１を介して連結した場合、図８に示すように、前記装飾体２１に作用する重力、平板状のコイルバネ３１の弾性力等が作用していない状態の位置関係では、前記装飾体２１が前記装身具１１の正面よりも上向きとなる。そして、本発明の装身具１１の常態にあっては、前記装飾体２１の自重により前記平板状のコイルバネ３１が変形して、前記装飾体２１が前記装身具用枠体１２内において前記装身具１１の正面を向くように揺動自在に保持されるようにしてある。
【００２３】
本発明の第１実施例では常態において平板状のコイルバネ３１を用いているが、もちろん、前記装飾体２１が前記装身具１１の正面を向くよう前記装身具２１の形状・重量に応じて前記平板状のコイルバネ３１をあらかじめくの字状またはＵ字状に変形させておくこともできる。さらに、前記装身具１１の形状・構造その他の事情に応じて、前記平板状のコイルバネ３１の大径部分の端部３１ａを前記装飾体２１に取り付け、他方小径部分の端部３１ｂを前記装身具用枠体１２に取り付けることも可能である。
【００２４】
そしてこのように、前記装身具用枠体１２と装飾体２１とを前記平板状のコイルバネ３１を介して連結する際に、前記平板状のコイルバネ３１に所定の傾斜を付与することにより、前記装飾体２１の自重による垂れ下がりを防止するとともに、前記装身具用枠体１２に作用するかすかな揺れでも、前記装飾体２１が増幅された状態で揺れるようになったのである。
またその際、前記装飾体２１の動きが非常にスムーズで、より微細に揺れたり、あるいは長時間揺れが続くようになった。
【００２５】
なお、前記装飾体２１の全体としてのふれる（揺動）範囲を限定する手段として、前記装身具用枠体１２の前部枠体１３に所定間隔で配設した一対のガイドピン１３ｂを設けるとともに、前記装飾体２１の背面に前記一対のガイドピン１３ｂと対応する位置に規制リング２１ａを設けてある。そして、前記装飾体２１が前記装身具用枠体１２内に収納されて保持されている状態においては、前記規制リング２１ａを前記ガイドピン１３ｂにはめ込むことで前記装飾体２１の全体としてのふれる（揺動）範囲を限定するようにしてある。
【００２６】
前記平板状のコイルバネ３１の素材はステンレススチールを焼き入れしたものが望ましく、その太さもバネの弾性や耐久性、揺れやすさ等を考慮して適宜決定することができる。また、平板状のコイルバネ３１としては、図１１（ａ）に示す線形タイプの他、図１１（ｂ）に示す鋼板打ち抜きタイプのものでもよい。ちなみに、線形タイプの平板状のコイルバネ３１としては、０．４〜０．５ｇ程度の重さの装飾体２１に対しては０．１ｍｍ程度、０．７〜０．８ｇ程度の重さの装飾体２１に対しては０．２ｍｍ程度、０．９ｇ〜程度の重さの装飾体２１に対しては０．３ｍｍ程度の太さの平板状のコイルバネ３１を利用することができるが、もちろんこれに限られるものではない。
ちなみに、平板状のコイルバネ３１の寸法の１例を以下に示す。
線径          φ０．１
最大外径      φ４．２５
最小外径      φ１．５
先端外径      φ１．５
総巻数        ４×２３°
巻方向        右
自由長（高さ）２．０ｍｍ
外観          良好（問題なし）
【００２７】
つぎに、本発明に係る揺れる装身具の第２実施例の実施の形態を、装身具としてペンダントを例にして説明する。
図１２ないし図１７に示すように、本実施例のペンダントトップからなる揺れる装身具４１は、装身具用枠体４２と、装飾体５１と、上つぼまりのほぼ錐形（円錐形や三角錐形、四角錐形等の上つぼまりのテーパ状を意味する）のコイルバネ６１を備え、前記ほぼ錐形のコイルバネ６１の大径部分の端部６１ａは前記装身具用枠体４２に取り付けられ、他方前記ほぼ錐形のコイルバネ６１の小径部分の端部６１ｂは前記装飾体５１に取り付けられており、前記装身具５１が前記ほぼ錐形のコイルバネ６１を介して前記装身具用枠体４２内に収納された状態で揺動自在に保持されている。
【００２８】
前記装身具用枠体４２は、前部枠体４３と後部枠体４４を複数の連結部材４５を介して所定の間隔で配置してあり、前記装身具用枠体４２の前部枠体４３のほぼ中央部分には、装飾体５１を外部から見えるようにする開口部４３ａが設けてある。
ちなみに前記連結部材４５としては、適宜間隔の柱状や前部枠体４３および後部枠体４４間の全面を覆い隠す側壁状とすることができる。
【００２９】
また、前記装身具用枠体４２の連結部材４５の適所には、Ｌ字状の連結用ポスト４６が立設してあり、前記ほぼ錐形のコイルバネ６１の大径部分の端部６１ａが取り付けられる。前記ほぼ錐形のコイルバネ６１の大径部分の端部６１ａの前記連結用ポスト４６への取り付け手段としては、例えば前記連結用ポスト４６にコイルバネの挿通孔（図示せず）を穿設して、前記ほぼ錐形のコイルバネ６１の大径部分の端部６１ａを挿通した上、該挿通孔から突出された部分を折り返して抜け止めしてある。このとき、該折返し部を溶接したり、接着剤等で前記連結用ポスト４６に強固に固着することが望ましい。また、前記連結用ポスト４６にコイルバネの嵌合溝（図示せず）を形成して前記ほぼ錐形のコイルバネ６１の大径部分の端部６１ａを該嵌合溝にはめ込んで固定してもよい。またカシメ等の物理的手段を用いてもよい。
【００３０】
なお、前記連結用ポスト４６の前記ほぼ錐形のコイルバネ６１の大径部分の端部６１ａが取り付けられる取り付け位置４６ａには所定の傾斜４６ｂが形成してある。したがって、前記ほぼ錐形のコイルバネ６１は、前記連結用ポスト４６の前記ほぼ錐形のコイルバネ６１の大径部分の端部６１ａが取り付けられる取り付け位置４６ａを基点として、前記ほぼ錐形のコイルバネ６１の中心線６１ｃの上方が前記装身具用枠体４２の後面側４２ｂに傾斜するよう取り付けられるのである。
【００３１】
他方、前記装飾体５１にはその裏面に前記装飾体５１に沿ったＬ字状の連結用ポスト５２が立設してあり、前記ほぼ錐形のコイルバネ６１の小径部分の端部６１ｂが取り付けられる。前記ほぼ錐形のコイルバネ６１の小径部分の端部６１ｂの前記連結用ポスト５２への取り付け手段としては、例えば前記連結用ポスト５２にコイルバネの嵌合溝（図示せず）を形成して、前記ほぼ錐形のコイルバネ６１の小径部分の端部６１ｂを該嵌合溝にはめ込んで固定してある。このとき、コイルバネ６１の小径部分の端部６１ｂを該嵌合溝に溶接したり、接着剤等で該嵌合溝に強固に固着することが望ましい。また、前記装飾体５１の前記連結用ポスト５２にコイルバネの挿通孔（図示せず）を穿設し、前記ほぼ錐形のコイルバネ６１の小径部分の端部６１ｂを挿通した上、該挿通孔から突出された部分を折り返して抜け止めしてもよい。またカシメ等の物理的手段を用いてもよい。
【００３２】
ここで、前記装身具用枠体４２と装飾体５１とをほぼ錐形のコイルバネ６１を介して連結した場合、図１５に示すように、前記装飾体５１に作用する重力、ほぼ錐形のコイルバネ６１の弾性力等が作用していない状態の位置関係では、前記装飾体５１が前記装身具４１の正面よりも上向きとなる。そして、本発明の装身具４１の常態にあっては、前記装飾体５１の自重により前記ほぼ錐形のコイルバネ６１が変形して、前記装飾体５１が前記装身具用枠体４２内において前記装身具４１の正面を向くように揺動自在に保持されるようにしてある。
【００３３】
そしてこのように、前記装身具用枠体４２と装飾体５１とを前記ほぼ錐形のコイルバネ６１を介して連結する際に、前記ほぼ錐形のコイルバネ６１に所定の傾斜を付与することにより、前記装飾体５１の自重による垂れ下がりを防止するとともに、前記装身具用枠体４２に作用するかすかな揺れでも、前記装飾体５１が増幅された状態で揺れるようになったのである。
またその際、前記装飾体５１の動きが非常にスムーズで、より微細に揺れたり、あるいは長時間揺れが続くようになった。
【００３４】
なお、前記装飾体５１の全体としてのふれる（揺動）範囲を限定する手段として、前記装身具用枠体４２の前部枠体４３に連結孔４３ｂを設けるとともに、前記装飾体５１の前記連結孔４３ｂと対応する位置に規制丸環５１ａを設けてある。そして、前記装飾体５１が前記装身具用枠体４２内に収納されて保持されている状態においては、前記規制丸環５１ａを前記連結孔４３ｂに連結することで前記装飾体５１の全体としてのふれる（揺動）範囲を限定するようにしてある。
【００３５】
前記ほぼ錐形のコイルバネ６１の素材はステンレススチールを焼き入れしたものが望ましく、その太さもバネの弾性や耐久性、揺れやすさ等を考慮して適宜決定することができる。ちなみに、０．４〜０．５ｇ程度の重さの装飾体２１に対しては０．１ｍｍ程度、０．７〜０．８ｇ程度の重さの装飾体２１に対しては０．２ｍｍ程度、０．９ｇ〜程度の重さの装飾体２１に対しては０．３ｍｍ程度の太さのほぼ錐形のコイルバネ６１を利用することができるが、もちろんこれに限られるものではない。
ちなみに、ほぼ錐形のコイルバネ６１の寸法の１例を以下に示す。
線径          φ０．１
最大外径      φ４．２５
最小外径      φ１．５
先端外径      φ１．５
総巻数        ４×２３°
巻方向        右
自由長（高さ）２．０ｍｍ
外観          良好（問題なし）
【産業上の利用可能性】
【００３６】
なお、前記各実施例では本発明に係る装身具としてペンダントトップを例にして説明したが、ペンダントに限定されるものではなく、ブレスレットやブローチ、イヤリングその他の装身具に適用してもよいことは勿論である。
なお、実施例では装飾体として蝶のデザインを例示したが、このようなモチーフに限定されないことはいうまでもない。
【符号の説明】
【００３７】
１１  揺れる装身具
１２  装身具用枠体
１２ａ  前面側
１３  前部枠体
１３ａ  開口部
１３ｂ  ガイドピン
１４  後部枠体
１５  連結部材
１６  連結用ポスト
１６ａ  取り付け位置
１６ｂ  傾斜
２１  装飾体
２１ａ  規制リング
２２  連結用ポスト
２２ａ  取り付け位置
２２ｂ  傾斜
３１  平板状のコイルバネ
３１ａ  大径部分の端部
３１ｂ  小径部分の端部
４１  揺れる装身具
４２  装身具用枠体
４２ａ  前面側
４２ｂ  後面側
４３  前部枠体
４３ａ  開口部
４３ｂ  連結孔
４４  後部枠体
４５  連結部材
４６  連結用ポスト
４６ａ  取り付け位置
４６ｂ  傾斜
５１  装飾体
５１ａ  規制丸環
５２  連結用ポスト
６１  平板状のコイルバネ
６１ａ  大径部分の端部
６１ｂ  小径部分の端部
６１ｃ  中心線
【要約】
【課題】装飾体の自重による垂れ下がりを防止し、装飾部材の動きがスムーズで、より微細に揺れたりあるいは長時間揺れが続く揺れる装身具を得る。
【解決手段】
装身具用枠体と、装身具用枠体に設けた開口部の位置に配設した装飾体と、平板状のコイルバネを備え、
前記装身具が前記装身具用枠体内に収納された状態において、前記平板状のコイルバネの大径部分の端部と前記装身具用枠体との取り付け位置を基点として前記平板状のコイルバネの小径の端部側が前記装身具用枠体の前面側に傾斜するよう取り付けられるとともに、前記平板状のコイルバネの小径部分の端部と前記装飾体との取り付け位置を基点として前記平板状のコイルバネの大径の端部側が前記装身具用枠体の前面側に傾斜するよう取り付けられることにより、
前記装身具用枠体に作用するかすかな揺れでも前記装飾体が増幅された状態で揺れるようにした揺れる装身具。
【選択図】図９【図１】
0006764109.tif 000002
【図２】
0006764109.tif 000003
【図３】
0006764109.tif 000004
【図４】
0006764109.tif 000005
【図５】
0006764109.tif 000006
【図６】
0006764109.tif 000007
【図７】
0006764109.tif 000008
【図８】
0006764109.tif 000009
【図９】
0006764109.tif 000010
【図１０】
0006764109.tif 000011
【図１１】
0006764109.tif 000012
【図１２】
0006764109.tif 000013
【図１３】
0006764109.tif 000014
【図１４】
0006764109.tif 000015
【図１５】
0006764109.tif 000016
【図１６】
0006764109.tif 000017
【図１７】
0006764109.tif 000018